(57)【要約】【課題】箱型のコンプレッサの内部に設けられている圧縮機やモータ等の音発生源から発する騒音の外部への送出を低減させることのできる簡易構造の箱型コンプレッサの吸気口からの漏音低減装置を提供する。【解決手段】箱型コンプレッサのパッケージ１００の吸気口２の形成されているプレート３の背部には枠体状のダクト１が当接して固定される。音発生源６からの発生音はこのダクト１を介して吸気口２から送出され、ダクト１は屈曲構造のため、吸気口２からの送出される騒音は大巾に低減される。【選択図】図２
2011226387.tif 000002
【特許請求の範囲】
【請求項１】
箱型のコンプレッサの音発生源による内部音の吸気口からの漏音を低減する装置であって、該装置は、前記吸気口の背部に、ダクト構成板が前記吸気口を覆って吸気口とコンプレッサの音発生源との間に位置しているダクトを設けるものからなり、前記ダクトはコンプレッサの音発生源がある内部に連通する内部側開口部と前記吸気口との間に略密閉した通路を形成するものからなることを特徴とする箱型コンプレッサの吸気口からの漏音低減装置。
【請求項２】
前記内部側開口部は箱型のコンプレッサの天井壁側に位置していて、前記箱型のコンプレッサの天井壁の部位に吸音材を設けることを特徴とする箱型コンプレッサの吸気口からの漏音低減装置。
【発明の詳細な説明】
【技術分野】
【０００１】
本発明は、コンプレッサの内部から発する騒音の吸気口からの漏音を低減する簡便構造の箱型コンプレッサの吸気口からの漏音低減装置に関する。
【背景技術】
【０００２】
コンプレッサの形成としては各種のものがあるが、定置式のコンプレッサとしては箱型のものが殆どである。この箱型のコンプレッサは圧縮空気を形成して排出するため各種の機器等を内蔵するものからなり、この箱体には外部からの吸気を行うための吸気口やクーラントファン等から送風される風を外部に排出する排気口が通常設けられている。また、コンプレッサの内部にはコンプレッサ本体やモータやクーラ等の各種の機器が配置され、コンプレッサの作動時にはこれ等から騒音が発し、この騒音が開放部である吸気口や排気口から漏れて周辺の騒音の原因となる問題点がある。しかしながら、通常使用されている箱型コンプレッサとしては、例えば、特許文献１に示すような構造のものが殆どである。
【先行技術文献】
【特許文献】
【０００３】
【特許文献１】特開平７−２６９４６５号公報（図１）
【発明の概要】
【発明が解決しようとする課題】
【０００４】
特許文献１の特開平７−２６９４６５号公報の空気圧縮機はパッケージ内の雰囲気温度の過度の上昇を防止するものであり、圧縮機本体の周囲に冷却ダクトを設けたものであるが、パッケージ内からの内部音の送出の部分は単純なファンモータを設けたものからなり吸排気口のまわりにダクトを設けて騒音の低減に当るものではなく、後に説明する本発明とは構造や効果について大きく相異するものである。パッケージで囲まれるコンプレッサとしてはその内部音が吸気口や排気口を介して外部に送出される問題点があるが、本発明はこの騒音を比較的簡便な手段で効果的に低減する箱型コンプレッサの吸気口からの漏音低減装置を提供することを目的とする。
【課題を解決するための手段】
【０００５】
本発明は、以上の目的を達成するために、請求項１の発明は、箱型のコンプレッサの音発生源による内部音の吸気口からの漏音を低減する装置であって、該装置は、前記吸気口の背部に、ダクト構成板が前記吸気口を覆って吸気口とコンプレッサの音発生源との間に位置しているダクトを設けるものからなり、前記ダクトはコンプレッサの音発生源がある内部に連通する内部側開口部と前記吸気口との間に略密閉した通路を形成するものからなることを特徴とする。
【０００６】
また、請求項２の発明は、前記内部側開口部は箱型のコンプレッサの天井壁側に位置していて、前記箱型のコンプレッサの天井壁の部位に吸音材を設けることを特徴とする。
【発明の効果】
【０００７】
本発明の請求項１の箱型コンプレッサの吸気口からの漏音低減装置によれば、吸気口の背部に吸気口を塞ぐ形態のダクトを設け、内部騒音はパッケージ内の音発生源から屈曲した状態で吸気口側に送られ、吸気口から外部に送出されるため、コンプレッサの周辺の外部の部分における騒音が大巾に低減する効果が上げられる。
【０００８】
また、本発明の請求項２の箱型コンプレッサの吸気口からの漏音低減装置によれば、パッケージの天井壁の内部に吸音材を設けることにより内部の発生音はこの吸音材を介してダクト側に送られるため、騒音低減を更に大きく行うことができる。
【図面の簡単な説明】
【０００９】
【図１】箱型コンプレッサの吸気口が形成されているボディのプレートと、この背部に当接して設けられるダクトの概要構造を示すと共に空気の流れＡと音の流れＢを示す斜視図である。
【図２】ダクトの取付状態を示すと共に音の送出形態を示す部分側面図。
【発明を実施するための形態】
【００１０】
以下、本発明の箱型コンプレッサの吸気口からの漏音低減装置の実施の形態を図面を参照して詳述する。
【実施例１】
【００１１】
箱型のコンプレッサは図２に示すように圧縮機やモータ等の音発生源６と、これ等を内部に収納するパッケージ１００を有するものからなり、図１及び図２ではパッケージ１００の内の吸気口２を形成しているプレート３と天井壁４の一部（図２）のみが示されると共に、このプレート３の背部に固定されるダクト１が示されている。
【００１２】
ダクト１は図１及び図２に示すように枠体状のものからなり、枠体１ａの内部には遮蔽板１ｂが設けられ、遮蔽板１ｂの上方には内部側開口部１ｃが形成されているものからなる。そして、前記内部側開口部１ｃは天井壁４側に位置している。図２に示すように枠体１ａは吸気口２を形成しているプレート３の背部に固定されるものであり、ダクト１を構成する部材であるダクト構成板（枠体１ａの両側面板及び底面板、遮蔽板１ｂ）が吸気口２を覆っていて、遮蔽板１ｂとプレート３との間には流通路１ｄが形成され、流通路１ｄは吸気口２と連通する構造からなる。このようにして、ダクト１は、コンプレッサの音発生源がある内部に連通する内部側開口部１ｃと吸気口２との間に略密閉した流通路１ｄを形成している。また、ダクト１に形成されている内部側開口部１ｃはコンプレッサの内部に臨んでいる。なお、矢印Ａにて空気の流れを示す。
【００１３】
図１及び図２に示すように、圧縮機やモータ等の音発生源６からの音は、まず上方に送出され、天井壁４から反射してダクト１内に入る。なお、吸気口２を覆っている上記ダクト構成板は、吸気口２と音発生源６との間に位置していて、音発生源６から内部音が直接吸気口２に達することが無いように設けられている。ダクト１内に入った前記音は、ダクト１の流通路１ｄを通って吸気口２から外部に送出される。即ち、発生音はパッケージ１００内を屈曲した後に吸気口２から外部に送出されることになる（音の流れを矢印Ｂで示す）。そのため、外部に送出される音は大巾に低減し、外部への送出音の大巾の低減ができる効果が上げられる。
【実施例２】
【００１４】
実施例１では天井壁４には特別の工夫がされていないものとしたが、実施例２では天井壁４の内面に吸音材５を貼付したものが示されている。吸音材５の種類は任意のものでよいが、音発生源６からの音はこの吸音材５により吸音され、音の低減が図られる。これにより、ダクト１側に進む音が低減され、吸気口２から送出される騒音の大巾な低減を図ることができる。
【００１５】
ダクト１は図示のような形態のものからなり、簡便のものからなり、その取り付けは容易に行われるため比較的安価に実施することができる。
【００１６】
本発明の箱型コンプレッサの吸気口からの漏音低減装置は、以上の説明の内容のものからなるが、本発明は以上の説明の内容に限定するものではなく、同一の技術的範疇のものが適用されることは勿論である。
【産業上の利用可能性】
【００１７】
本発明は、箱型のコンプレッサのすべてに適用可能であると共に、パッケージ形式の騒音発生体に対しても適用可能であり、その利用範囲は広い。
【符号の説明】
【００１８】
１…ダクト
１ａ…枠体
１ｂ…遮蔽板
１ｃ…内部側開口部
１ｄ…流通路
２…吸気口
３…プレート
４…天井壁
５…吸音材
６…音発生源
１００…パッケージ
【図１】
2011226387.tif 000003
【図２】
2011226387.tif 000004